(57)【要約】【課題】  磁石を用いた簡単な構成の跳ね上げ機構を提供する。【解決手段】  眼鏡レンズ２４を所定の跳ね上げ位置まで跳ね上げ自在にする眼鏡フレームの跳ね上げ機構において、フレーム本体１３側に設けられた第一の磁着体３１２と、眼鏡レンズ２４側に設けられ第一の磁着体３１２に磁着する角形の第二の磁着体３１３とを有し、第一の磁着体３１２には、第二の磁着体３１３との磁着状態を維持しつつ第二の磁着体３１２を転動させる転動面３１２ａが形成され、第二の磁着体３１３が転動面３１２ａ上で転動することで、眼鏡レンズ２４をフレーム本体１３に対して回動自在とした。第一の磁着体３１２及び第二の磁着体３１３の少なくとも一方をレンズ２４又はフレーム１３に埋設してもよい。【選択図】  図２
2015232686.tif 000002
【特許請求の範囲】
【請求項１】
眼鏡レンズを所定の跳ね上げ位置まで跳ね上げ自在にする眼鏡フレームの跳ね上げ機構において、
フレーム本体側に設けられた第一の磁着体と、眼鏡レンズ側に設けられ前記第一の磁着体に磁着する角形の第二の磁着体とを有し、
前記第一の磁着体には、前記第二の磁着体との磁着状態を維持しつつ前記第二の磁着体を転動させる転動面が形成され、
前記第二の磁着体が前記転動面上で転動することで、前記眼鏡レンズを前記フレーム本体に対して回動自在としたこと、
を特徴とする眼鏡フレームの跳ね上げ機構。
【請求項２】
前記第一の磁着体及び前記第二の磁着体の少なくとも一方をレンズ又はフレームに埋設したことを特徴とする請求項１に記載の眼鏡フレームの跳ね上げ機構。
【請求項３】
前記第二の磁着体の転動長さと同じかそれよりも長い前記転動面を有し、前記第二の磁着体が前記転動面上を移動しながら往復転動することで、前記眼鏡レンズを前記フレーム本体に対して回動自在としたことを特徴とする請求項１又は２に記載の眼鏡フレームの跳ね上げ機構。
【請求項４】
前記第二の磁着体の転動中心が、転動前後で同じ位置に位置するように、前記第一の磁着体と前記第二の磁着体が構成されていることを特徴とする請求項１〜３のいずれかに記載の眼鏡フレームの跳ね上げ機構。
【請求項５】
前記転動面の一端又は両端に、前記第二の磁着体の転動又は移動を規制するストッパを設けたことを特徴とする請求項１〜４のいずれかに記載の眼鏡フレームの跳ね上げ機構。
【請求項６】
前記転動面の途中部位に、前記第二の磁着体の転動方向を転換する転動方向転換部を設けたことを特徴とする請求項１〜５のいずれかに記載の眼鏡フレームの跳ね上げ機構。
【請求項７】
前記第二の磁着体が五角以上の多角形であることを特徴とする請求項１〜６のいずれかに記載の眼鏡フレームの跳ね上げ機構。
【請求項８】
前記眼鏡レンズが前記第一の磁着体と前記第二の磁着体とにより着脱自在に前記眼鏡フレームに取り付けられていることを特徴とする請求項１〜７のいずれかに記載の眼鏡フレームの跳ね上げ機構。
【請求項９】
前記フレーム本体側に設けられた係合部と、眼鏡レンズ側に設けられた被係合部とを有し、前記第二の磁着体が前記転動面上で転動することで前記係合部と前記被係合部が係脱することを特徴とする請求項１〜８のいずれかに記載の眼鏡フレームの跳ね上げ機構。
【請求項１０】
前記転動面上に前記第一の磁着体のＮ極とＳ極とが交互に配置されていて、前記第二の磁着体が転動することで前記第二の磁着体のＳ極とＮ極が前記第一の磁着体のＮ極とＳ極に磁着されることを特徴とする請求項１〜９のいずれかに記載の眼鏡フレームの跳ね上げ機構。
【発明の詳細な説明】
【技術分野】
【０００１】
本発明は、眼鏡レンズを所定の跳ね上げ位置で固定することができる眼鏡フレームの跳ね上げ機構に関する。
【背景技術】
【０００２】
眼鏡（補助眼鏡を含む）のフロント部に装着した眼鏡レンズを、適宜に跳ね上げて所定位置に固定する跳ね上げ機構が知られている。
この種の跳ね上げ機構の中には、眼鏡レンズの跳ね上げ方向に回転するカムと、このカムの周面に形成された被係合部と係合する係合部材と、この係合部材を前記被係合部に押し付ける弾性部材とを有する構成のものがある（例えば特許文献１参照）。
カム等を用いた機械式のものは、任意の角度位置にレンズを位置決めすることができるものの、構成が複雑になって故障の原因になったり、価格が高くなる等の問題がある。また、着脱自在な補助眼鏡も市販されているが、着脱のために跳ね上げとは別の機構が必要になったり、価格がさらに高くなる等の問題がある。
そこで、磁石を用いて補助メガネを眼鏡のフレーム本体に着脱自在に取り付けるようにしたり、跳ね上げたときなどに補助眼鏡のレンズ位置を固定するようにするなど、上記した機械式の跳ね上げ機構の一部を補う技術も種々提案されている（例えば特許文献２，３参照）。
【先行技術文献】
【特許文献】
【０００３】
【特許文献１】特開２００６−１６２９０５公報
【特許文献２】特開２０１３−６４７８７公報
【特許文献３】特開２００１−２２１９８０号公報
【発明の開示】
【発明が解決しようとする課題】
【０００４】
本発明は上記の問題に鑑みてなされたもので、カムや係合部材、ばね等を用いることなく、磁石を用いた簡素な構成の眼鏡レンズの跳ね上げ機構の提供を目的とする。
【課題を解決するための手段】
【０００５】
上記課題を解決するために、請求項１に記載の発明は、眼鏡レンズを所定の跳ね上げ位置まで跳ね上げ自在にする眼鏡フレームの跳ね上げ機構において、フレーム本体側に設けられた第一の磁着体と、眼鏡レンズ側に設けられ前記第一の磁着体に磁着する角形の第二の磁着体とを有し、前記第一の磁着体には、前記第二の磁着体との磁着状態を維持しつつ前記第二の磁着体を転動させる転動面が形成され、前記第二の磁着体が前記転動面上で転動することで、前記眼鏡レンズを前記フレーム本体に対して回動自在とした構成としてある。
【０００６】
ここで、「磁着体」には磁石の他、磁石に磁着する性質を有するステンレスや鉄等の金属を含む概念である。従って、第一の磁着体及び第二の磁着体は、その両方が磁石であってもよいし、どちらか一方が磁石で他方が磁着性を有する金属であってもよい。また、「磁着体」は磁石や磁着性を有する金属そのもので構成されていてもよいが、互いに磁着することができるのであれば、磁石や金属がレンズやフレームその他の部材に埋設されたものであってもよい。
前記第一の磁着体又は前記第二の磁着体を設ける位置は、跳ね上げ機能を阻害しないところであれば特に限定されず、フレームのブリッジ部分やレンズの上方の部分であってもよい。また、請求項２に記載するようにレンズ又はフレームに埋設してもよい。跳ね上げ機構は一カ所であってもよいが二カ所に設けてもよい。
また、「角形」には、所定の回動角度位置で前記眼鏡レンズを位置決めできる範囲内であれば、転動しやすいように一部又は全部の角部が面取りされたものも含まれる。
【０００７】
また、請求項３に記載するように、前記第二の磁着体の転動長さと同じかそれよりも長い前記転動面を有し、前記第二の磁着体が前記転動面上を移動しながら往復転動することで、前記眼鏡レンズを前記フレーム本体に対して回動自在としてもよい。
このようにすることで、前記眼鏡レンズを前記フレーム本体に対して上昇させながら跳ね上げ位置まで回動させることができる。
その一方で、請求項４に記載するように、前記第二の磁着体の転動中心が、転動前後で同じ位置に位置するように、前記第一の磁着体と前記第二の磁着体を構成すれば、前記眼鏡レンズの前記フレーム本体に対する位置を変えることなく、跳ね上げ位置まで回動させることができる。
前記第二の磁着体の転動中心を、転動前後で同じ位置に位置させるようにするには、例えば請求項５に記載するように、前記転動面の一端又は両端に前記第二の磁着体の転動又は移動を規制するストッパを設ければよい。また、転動面をＶ形又は凹形に形成して、当該Ｖ溝又は凹溝の中で前記第二の磁着体が回動するように構成してもよい。なお、これらストッパやＶ溝又は凹溝は、第二の磁着体が転動面から脱落しないように防止する手段としても機能する。さらに、前記転動面の幅を前記第二の磁着体の幅に合わせてもよい。
【０００８】
跳ね上げ角の調整は第二の磁着体の形状によって行うことが可能であるが、請求項６に記載するように前記転動面の途中部位に、前記第二の磁着体の転動方向を転換する転動方向転換部を設けることで調整することも可能である。
なお、請求項７に記載するように前記第二の磁着体が五角以上の多角形であるものとしてもよい。また、眼鏡レンズは別の枢着機構によってフレームに対して取り付けられていてもよいが、請求項８に記載するように前記第一の磁着体と前記第二の磁着体とにより着脱自在に前記眼鏡フレームに取り付けられていてもよい。
【０００９】
また、請求項９に記載するように、前記フレーム本体側に設けられた係合部と、眼鏡レンズ側に設けられた被係合部とを有し、前記第二の磁着体が前記転動面上で転動することで前記係合部と前記被係合部が係脱する構成とすれば、跳ね上げ時又は跳ね下げ時に眼鏡レンズの脱落を防止することができる。
なお、本発明においては、請求項１０に記載するように、前記転動面上に前記第一の磁着体のＮ極とＳ極とが交互に配置されていて、前記第二の磁着体が転動することで前記第二の磁着体のＳ極とＮ極が前記第一の磁着体のＮ極とＳ極に磁着されるように構成してもよい。
【発明を実施するための最良の形態】
【００１０】
以下、本発明の好適な実施形態を、図面を参照しながら詳細に説明する。
図１は、本発明の跳ね上げ機構を備えた眼鏡の一実施形態にかかり、その全体構成を説明する斜視図である。
なお、この実施形態では、眼鏡のフロントフレームに取り付けた補助眼鏡のレンズを本発明の跳ね上げ機構により跳ね上げ自在としたものを例に挙げて説明する。
【００１１】
眼鏡１は、レンズ１４を保持するフロントフレーム１３と、このフロントフレーム１３の両端に設けられた智１２と、テンプル１１を折り畳み自在に智１２に連結するヒンジ１５とを有している。眼鏡１の前面に取り付けられる補助眼鏡２は、フレーム２３と、このフレーム２３に保持されたレンズ２４とを有している。
本発明の跳ね上げ機構３は、フロントフレーム１３と補助眼鏡２のフレーム２３との間に設けられ、跳ね上げ機構３により補助眼鏡２のレンズ２４をフレーム２３とともに眼鏡１に対して跳ね上げることができるようになっている。
【００１２】
［第一の実施形態］
図２は、本発明の跳ね上げ機構の第一の実施形態にかかり、（ａ）は補助眼鏡２のレンズ２４を降ろして眼鏡１のレンズ１４の前面に位置させた状態を示す側面図、（ｂ）はレンズ２４を跳ね上げる途中の状態を示す側面図、（ｃ）はレンズ２４を跳ね上げた状態を示す側面図である。
この実施形態の跳ね上げ機構（符号３１で示す）は、眼鏡１のフロントフレーム１３に形成された支持体３１１と、この支持体３１１の前面に突出して設けられた第一の磁着体３１２とを有している。
【００１３】
一方、補助眼鏡２のフレーム２３にはアーム２３ａが設けられ、このアーム２３ａに第二の磁着体３１３が設けられている。
第二の磁着体３１３は四角形状に形成され、第一の磁着体３１２の先端は平坦状の転動面３１２ａとして形成されている。そして、この第二の磁着体３１３の一面を第一の磁着体３１２の転動面３１２ａに磁着させることで、補助眼鏡２がフロントフレーム１３に装着される。
この実施形態では、第一の磁着体３１２及び第二の磁着体３１３のいずれか一方が磁石で形成され、他方が鋼やステンレス等の磁着性金属で形成されている。磁石としては、永久磁石の中で最も強力な磁着力を有するネオジウム磁石を用いるのが好ましい。
第二の磁着体３１３に、第一の磁着体３１２と第二の磁着体３１３との磁着力に抗した力で、図２の紙面に直交する軸を中心とする回転力を付与すると、第二の磁着体３１３は第一の磁着体３１２に磁着されたまま転動面３１２ａ上で回転する。
【００１４】
第一の実施形態の跳ね上げ機構３１は以下のように作用する。
補助眼鏡２のレンズ２４を眼鏡１のレンズ１４の前面に位置させた状態（図２（ａ）の状態）から、レンズ２４をレンズ１４に対して跳ね上げ方向（図２（ｂ）の矢印Ｉで示す方向）に回転させると、第二の磁着体３１３が第一の磁着体３１２に磁着されたまま転動面３１２ａ上で回転する（図２（ｂ）参照）。
そして、レンズ２４をほぼ水平位置まで回転させたときに、第二の磁着体３１３の前記一面に隣接する他面が転動面３１２ａに磁着される。
これにより、レンズ２４が前記水平位置で固定される（図２（ｃ）参照）。
【００１５】
［第二の実施形態］
図３は、本発明の跳ね上げ機構の第二の実施形態にかかり、（ａ）はレンズ２４を降ろして眼鏡１のレンズ１４の前面に位置させた状態を示す側面図、（ｂ）はレンズ２４を跳ね上げた状態を示す側面図である。
この実施形態の跳ね上げ機構（符号３２で示す）において第一の磁着体３２２はレンズ１４に埋め込まれ、第二の磁着体３２３はレンズ２４に埋め込まれている。また、第一の磁着体３２２は、レンズ１４の前面側に露出する転動面３２２ａにＳ極を有する磁石３２２ｂと転動面３２２ａにＮ極を有する磁石３２２ｃとから構成されている。
【００１６】
また、この実施形態では第二の磁着体３２３も磁石で形成され、Ｎ極及びＳ極がレンズ２４の前面側と後面側に位置している。
この実施形態のようにレンズ１４，２４に磁石３２２ｂ，３２２ｃ及び第二の磁着体３２３を埋め込む場合は、埋め込みを容易にするためにこれらの磁石の形状を円柱状とするとよい。
なお、レンズ２４をレンズ１４の前面に位置させたときにレンズ１４，２４の間に若干の隙間ができるように、第二の磁着体３２３の一端をレンズ２４の後面から少し突出させるとよい。
【００１７】
第二の実施形態の跳ね上げ機構３２は以下のように作用する。
レンズ２４をレンズ１４の前面に位置させた状態（図３（ａ）の状態）から、レンズ２４をレンズ１４に対して跳ね上げ方向（図３（ｂ）の矢印IIで示す方向）に回転させると、第二の磁着体３２３が第一の磁着体３２２に磁着されたまま転動面３２２ａ上で回転する。
そして、レンズ２４をほぼ水平位置まで回転させたときに、第二の磁着体３２３のＮ極が磁石３２２ｂのＳ極に対峙し、Ｓ極が磁石３２２ｃのＮ極に対峙して第二の磁着体３２３が転動面３２２ａに磁着される。これにより、レンズ２４が前記水平位置で固定される（図３（ｂ）参照）。
【００１８】
この実施形態では、図３（ｂ）の状態からさらにレンズ２４を跳ね上げることが可能で、レンズ２４を図３（ａ）の状態からほぼ反転した位置まで回転させると（回転方向を図３（ｃ）の矢印IIIで示す）、第二の磁着体３２３のＮ極が磁石３２２ｂのＳ極に磁着されて、レンズ２４が前記反転位置で固定される（図３（ｃ）参照）。
【００１９】
［第三の実施形態］
図４は、本発明の跳ね上げ機構の第三の実施形態にかかり、（ａ）はレンズ２４を降ろして眼鏡１のレンズ１４の前面に位置させた状態を示す側面図、（ｂ）はレンズ２４を跳ね上げた状態を示す側面図である。
この実施形態の跳ね上げ機構（符号３３で示す）の基本構成は第一の実施形態の跳ね上げ機構３１と同じとしてあるので、第一の実施形態と同一部位、同一部材には同一の符号を付して詳細な説明は省略する。
【００２０】
この実施形態の跳ね上げ機構３３において第一の磁着体３３２の転動面３３２ａは、第二の磁着体３１３よりも広幅に形成されていて、レンズ２４をレンズ１４の前面に位置させた状態（図４（ａ）の状態）から、レンズ２４をレンズ１４に対して跳ね上げると、第二の磁着体３１３が第一の磁着体３３２に磁着されたまま転動面３３２ａ上で回転しつつ上方に移動する（図４（ｂ）の状態）。
【００２１】
このように、第二の磁着体３１３よりも広幅の転動面３３２ａを第一の磁着体３３２に形成することで、レンズ２４を跳ね上げると同時に、第二の磁着体３１３の移動分だけレンズ２４を上昇させることが可能になる。従って、第一の実施形態の跳ね上げ機構３１では跳ね上げたときにレンズ２４の下端縁が利用者の視界に入るような場合でも、第三の実施形態の跳ね上げ機構３３では第二の磁着体３１３の移動分だけ前記下端縁が上昇するので、利用者の視界に前記下端縁が入らないようにすることができる。
【００２２】
［第四の実施形態］
図５は、本発明の跳ね上げ機構の第四の実施形態にかかり、（ａ）はレンズ２４を降ろして眼鏡１のレンズ１４の前面に位置させた状態を示す側面図、（ｂ）はレンズ２４を第一段階まで跳ね上げた状態を示す側面図、（ｃ）はレンズ２４を第二段階まで跳ね上げた状態を示す側面図である。
この実施形態の跳ね上げ機構（符号３４で示す）の基本構成は、第三の実施形態の跳ね上げ機構３３と同じとしてある。そのため、この実施形態において第三の実施形態と同一部位、同一部材には同一の符号を付して詳細な説明は省略する。
【００２３】
第二の磁着体３４３は、第一〜第三の実施形態の第二の磁着体３１３，３２３のような四角形以外の多角形とすることが可能である。例えば、この実施形態のように、六角形とすることができる。第二の磁着体３４３を六角形とすることで、図５（ａ）〜（ｃ）に示すように、６０°づつ段階的にレンズ２４を跳ね上げることが可能である。また、第三の実施形態の跳ね上げ機構３３と同様に、長い転動面３３２ａを備えることで、第二の磁着体３４３が転動しながら転動面３３２ａを移動するので、レンズ２４を段階的に上昇させつつ跳ね上げることができる。
また、転動面３３２ａには、図示するように第二の磁着体３４３と当接して第二の磁着体３４３の転動を規制するストッパ３３２ｂを設けてもよい。
【００２４】
［第五の実施形態］
図６は、本発明の跳ね上げ機構の第五の実施形態にかかり、（ａ）はレンズ２４を降ろして眼鏡１のレンズ１４の前面に位置させた状態を示す側面図、（ｂ）はレンズ２４を跳ね上げた状態を示す側面図である。
この実施形態の跳ね上げ機構（符号３５で示す）の基本構成は、第三の実施形態の跳ね上げ機構３３と同じとしてある。そのため、この実施形態において第三の実施形態と同一部位、同一部材には同一の符号を付して詳細な説明は省略する。
【００２５】
転動面３５２ａは、第三の実施形態の転動面３３２ａのように平坦的である必要はなく、途中部位に第二の磁着体３１３の転動方向を転換する転動方向の転換部３５２ｃを有していてもよい。この転換部３５２ｃで転動面３３２ａの傾斜角度を変えることで、跳ね上げ角度を変化させることが可能である。
例えば、図６に示す例では、傾斜角４５°の転換部３５２ｃを設けてあるが、このような転換部３５２ｃを設けることで、四角形の第二の磁着体３１３を用いた図示の例では、レンズ２４の跳ね上げ角を１３５°に調整することが可能である。
【００２６】
［第六の実施形態］
図７は、本発明の跳ね上げ機構の第六の実施形態にかかり、レンズ２４を降ろして眼鏡１のレンズ１４の前面に位置させた状態を示す側面図である。
この実施形態の跳ね上げ機構（符号３６で示す）の基本構成は、第四の実施形態の跳ね上げ機構３４と同じとしてある。そのため、この実施形態において第四の実施形態と同一部位、同一部材には同一の符号を付して詳細な説明は省略する。
第一の磁着体３６２の転動面３６２ａは、図示のように第二の磁着体３４３が嵌り込むＶ溝又は凹溝とすることができる。そして、レンズ２４を跳ね上げ方向に回転させると、Ｖ溝又は凹溝の中に嵌め込まれた状態で第二の磁着体３４３が転動する。第二の磁着体３４３はＶ溝又は凹溝に嵌め込まれることによって一定の力以下では転動が規制されるから、この実施形態では転動面３５２ａがストッパとしての機能も有している。
【００２７】
［第七の実施形態］
図８は、本発明の跳ね上げ機構の第七の実施形態にかかり、フレーム側に係合部を設け、眼鏡レンズ側にこの係合部と係合する被係合部とを設けて、眼鏡レンズ２４が容易にフレームから脱落しないようにした例を説明する図である。
フロントフレーム１３の跳ね上げ機構（符号３７で示す）は、フロントフレーム１３に形成された支持体３７１と、この支持体３７１に設けられた第一の磁着体３７２とを有している。このような支持体３７１は、フロントフレーム１３のブリッジ部分又はフロントフレーム１３の端部に設けるのが好ましい。
【００２８】
一方、補助眼鏡２のフレーム２３又はレンズ２４には第二の磁着体３７３が設けられ、フレーム２３又はレンズ２４から後方に突出するアーム２３ａの先端は屈曲状に折れ曲る係合部２３ｂとして形成されている。
支持体３７１には係合部２３ｂが挿入できる溝３７１ａが形成され、係合部２３ｂが抜脱される入口３７１ｄの上下には、規制部３７１ｂ，３７１ｃが形成されている。この規制部３７１ｂ，３７１ｃによって決定される入口３７１ｄの幅ｓは、係合部２３ｂが溝３７１ａ内に挿入されたときに、フレーム２３又はレンズ２４を上下に動かしても係合部２３ｂが入口３７１ｄから容易に抜脱しない幅としてある。また、下方の規制部３７１ｃ及び／又は係合部２３ｂには、必要に応じて、フレーム２３又はレンズ２４を下方（図８の矢印Ｉ方向）に回動させて規制部３７１ｃと係合部２３ｂとが当接したときに、係合部２３ｂの先端を入口３７１ｄに導くことができるように、テーパ状又は円弧状の案内部を形成するとよい。
この実施形態において第一の磁着体３７２は支持体３７１の内部に埋設され、第二の磁着体３７３はフレーム２３又はレンズ２４の内部に埋設されている。そして、第一の磁着体３７２が埋設された支持体３７１の前面が転動面３７２ａとして形成されている。この第二の磁着体３７３を第一の磁着体３１２の転動面３１２ａに磁着させることで、補助眼鏡２がフロントフレーム１３に装着される。
なお、先の実施形態と同様に、一方（第一の磁着体３１２又は第二の磁着体３１３）を金属とし、他方を磁石としてもよいが、第一の磁着体３１２及び第二の磁着体３１３の両方を磁石とする場合は、二つの磁石を例えば図示するように（図の黒塗の部分がＮ極）配置するとよい。
【００２９】
上記構成の跳ね上げ機構３７において、図８（ａ）の状態からフレーム２３又はレンズ２４を下方（符号Ｉで示す方向）に回動させると、図８（ｂ）に示すように係合部２３ｂが溝３７１ａの入口３７１ｄに向かう。このとき、係合部２３ｂが下方の規制部３７１ｃに当接しても、規制部３７１ｃ及び係合部２３ｂに案内のためのテーパ部又は円弧部を形成しておけば、このテーパ部又は円弧部の作用によって、係合部２３ｂが溝３７１ａ内にスムースに導かれる。このとき、図８（ｃ）に示すように、アーム２３ａを介してフレーム２３又はレンズ２４が上方に押し上げられる。そして、最終的に図８（ｄ）に示すように、係合部２３ｂが規制部３７１ｄの後方に位置する。
この状態では、規制部３７１ｂによって係合部２３ｂは前方（図８の紙面左方向）に移動することはできず、かつ、フレーム２３又はレンズ２４の上下方向の移動は規制部３７１ｂ及び規制部３７１ｃによって規制されているので、補助眼鏡２がフロントフレーム１３から容易に脱落することはない。
【００３０】
本発明の好適な実施形態について説明したが、本発明の接続構造は上記のものに限られない。
例えば、上記の説明では補助眼鏡のレンズ２４の跳ね上げを前提に説明したが、本発明は眼鏡１のレンズ１４の跳ね上げにも適用が可能である。また、本発明の跳ね上げ機構３はブリッヂや智など他の部分に設けることも可能である。
また、前記第一の磁着体又は前記第二の磁着体を設ける位置は上記の説明に限定されず、利用者の視界や跳ね上げ機構の機能を阻害しないところであれば特に限定されない。フレームのブリッジ部分に設けてもよいし、レンズやフレームに埋設してもよい。また、跳ね上げ機構は一カ所であってもよいし二カ所又は三カ所以上に設けてもよい。
【００３１】
さらに、例えば第一の実施形態の説明では支持体３１１から第一の磁着体３１２を突出させて設けているが、これはアーム２３ａと支持体３１１及びフロントフレーム１３との干渉を防止するためであり、このような干渉を考慮する必要が無い場合には、支持体３１１やフロントフレーム１３に第一の磁着体３１２を直接取り付け又は埋設するようにしてもよい。なお、本発明において「磁着体」には、磁石や磁着性を有する金属そのもののほか、互いに磁着することができるのであれば、磁石や金属がレンズやフレームその他の部材に埋設されたものも含まれる。
また、第一〜第七の実施形態と同様の作用を奏するのであれば、第一の磁着体３１２，３２２，３３２，３５２，３６２，３７２及び第二の磁着体３１３，３２３，３３３，３４３，３７３の両方を磁石で形成してもよい。
また、本発明で磁着体３１３等を「角形」としているが、磁着体３１３等が転動したときに眼鏡レンズ２４を所定の回動角度で位置決めできるのであれば、角形の一部又は全部の角部に、磁着体３１３等を転動しやすくするための面取りが施されていてもよい。
【産業上の利用可能性】
【００３２】
本発明は、跳ね上げ機構を設ける眼鏡であれば広範に適用が可能で、上記した補助眼鏡２のレンズ２４の跳ね上げ機構に限らず、眼鏡１のレンズ１４の跳ね上げ機構にも適用が可能である。
【図面の簡単な説明】
【００３３】
【図１】本発明の跳ね上げ機構を備えた眼鏡の一実施形態にかかり、その全体構成を説明する斜視図である。
【図２】本発明の跳ね上げ機構の第一の実施形態にかかり、（ａ）は補助眼鏡２のレンズ２４を降ろして眼鏡１のレンズ１４の前面に位置させた状態を示す側面図、（ｂ）はレンズ２４を跳ね上げる途中の状態を示す側面図、（ｃ）はレンズ２４を跳ね上げた状態を示す側面図である。
【図３】本発明の跳ね上げ機構の第二の実施形態にかかり、（ａ）はレンズ２４を降ろして眼鏡１のレンズ１４の前面に位置させた状態を示す側面図、（ｂ）はレンズ２４を跳ね上げた状態を示す側面図である。
【図４】本発明の跳ね上げ機構の第三の実施形態にかかり、（ａ）はレンズ２４を降ろして眼鏡１のレンズ１４の前面に位置させた状態を示す側面図、（ｂ）はレンズ２４を跳ね上げた状態を示す側面図である。
【図５】本発明の跳ね上げ機構の第四の実施形態にかかり、（ａ）はレンズ２４を降ろして眼鏡１のレンズ１４の前面に位置させた状態を示す側面図、（ｂ）はレンズ２４を第一段階まで跳ね上げた状態を示す側面図、（ｃ）はレンズ２４を第二段階まで跳ね上げた状態を示す側面図である。
【図６】本発明の跳ね上げ機構の第五の実施形態にかかり、（ａ）はレンズ２４を降ろして眼鏡１のレンズ１４の前面に位置させた状態を示す側面図、（ｂ）はレンズ２４を跳ね上げた状態を示す側面図である。
【図７】本発明の跳ね上げ機構の第六の実施形態にかかり、レンズ２４を降ろして眼鏡１のレンズ１４の前面に位置させた状態を示す側面図である。
【図８】本発明の跳ね上げ機構の第七の実施形態にかかり、フレーム側に係合部を設け、眼鏡レンズ側にこの係合部と係合する被係合部とを設けて、眼鏡レンズ２４が容易にフレームから脱落しないようにした例を説明する図である。
【符号の説明】
【００３４】
１        眼鏡
１１      テンプル
１２      智
１３      フロントフレーム
１４      レンズ
１５      ヒンジ
２        補助眼鏡
２３      フレーム
２４      レンズ
３，３１〜３６        跳ね上げ機構
３１１                支持体
３１２，３２２，３３２，３５２，３６２  第一の磁着体
３１２ａ，３２２ａ，３３２ａ，３５２ａ    転動面
３６２ａ                      転動面（Ｖ溝又は凹溝）
３３２ｂ                      ストッパ
３５２ｃ                      転動方向の転換部
３１３，３２３，３３３，３４３  第二の磁着体
【図１】
2015232686.tif 000003
【図２】
2015232686.tif 000004
【図３】
2015232686.tif 000005
【図４】
2015232686.tif 000006
【図５】
2015232686.tif 000007
【図６】
2015232686.tif 000008
【図７】
2015232686.tif 000009
【図８】
2015232686.tif 000010